(57)【要約】【課題】重量の軽量化を図ることができる上、ベース板の取付強度の低下を招くことのない電気機器収納用箱体を提供する。【解決手段】背板３の左右両側部に、折り曲げ加工により補強を施した補強部を設けるととともに、該補強部をベース板が取り付けられるベース板取付部とした。該ベース板取付部は、背板３本体に当接する接地面１５と、ベース板４がセットされる取付面１６と、背板３のフランジ１１に当接する支持面１７とを折り曲げによって階段状に備えてなる取付板８を、接地面１５を背板３本体の前面に当接させ、且つ、支持面１７の後面をフランジ１１の前面に当接させた状態で背板３本体に溶接して設けることができる。【選択図】図２
2008011686.tif 000002
【特許請求の範囲】
【請求項１】
各種電気機器を搭載するためのベース板を背板の前方に取付可能としてなる電気機器収納用箱体であって、
前記背板の外周部に、折り曲げ加工により補強を施した補強部を設けるととともに、該補強部を前記ベース板が取り付けられるベース板取付部としたことを特徴とする電気機器収納用箱体。
【請求項２】
電気機器収納用箱体を構成する天板及び底板を、Ｌ字状の補強部材を介して背板のベース板取付部に固着したことを特徴とする請求項１に記載の電気機器収納用箱体。
【請求項３】
背板の左右両側部に、前方へ突出し上下に開口を有する中空状のベース板取付部を設けるとともに、該ベース板取付の内側縁に、折り曲げ加工により後方へ段差を設けられた段部を形成し、ベース板を、前記段部の前面に当接させた状態で、前記左右両側のベース板取付部間に嵌め込むようにしてセット可能とする一方、
補強部材は、その一端を前記開口へ差し込んだ状態にて前記ベース板取付部に固着されるとともに、前記補強部材に、前記セット状態にある前記ベース板の上縁又は下縁を支持する支持部を設けたことを特徴とする請求項２に記載の電気機器収納用箱体。
【発明の詳細な説明】
【技術分野】
【０００１】
本発明は、たとえば分電盤等といった各種電気機器を収納するための電気機器収納用箱体に関するものである。
【背景技術】
【０００２】
従来より、たとえば分電盤等といった電気機器を収納するための電気機器収納用箱体としては種々のものが考案されており、たとえば特許文献１に開示されているような電気機器収納用箱体がある。
【特許文献１】特開平９−２７８０７８号公報
【０００３】
また、より一般的な電気機器収納用箱体としては、図４に示すような電気機器収納用箱体４１が知られている。以下、図４にもとづいて、従来より周知の電気機器収納用箱体４１について説明する。
電気機器収納用箱体４１は、前面に開口を有する箱状の本体４２と、該本体４２の前面開口を開閉する前扉（図示しない）とからなるものであって、背板４３には、各種電気機器を搭載するためのベース板４４が取り付けられる取付金具４５が溶接等により固着されている。該取付金具４５には、係止孔４６が設けられており、該係止孔４６にボルト４７の頭部を嵌入させることにより、ボルト４７を起立状態にて係止可能となっている。また、４８は、ボルト４７を起立状態で固定するためのボルトサポーターである。一方、ベース板４４の隅部には、ボルト４７の軸部を挿通可能な挿通孔４９が穿設されている。
そして、ボルトサポーター４８により取付金具４５に起立状態で固定されたボルト４７の軸部へ、高さ調節用ナット５０を設置した後、ベース板４４の挿通孔４９を挿通させ、さらにワッシャ付きナット５１を締め付け固定することにより、ベース板４４を本体４２に取り付けていた。
【発明の開示】
【発明が解決しようとする課題】
【０００４】
上述したような従来の電気機器収納用箱体４１では、取付金具４５を背板４３に直接固着しているため、電気機器を搭載したベース板４４にかかる負荷が、取付金具４５を介して直接背板４３にかかる。そのため、従来の電気機器収納用箱体４１においては、背板４３として、強度の高い板状部材、すなわち分厚い板状部材を用いていた。しかしながら、背板４３を分厚く形成すると、背板４３の重量が増すため、電気機器収納用箱体４１の組立作業や、組み立て後の電気機器収納用箱体４１の設置作業等が煩わしくなる等といった問題が生じる。ここで、背板として、単に厚みの薄い板状部材を採用すると、背板にかかる負荷により背板に変形が生じる、ベース板が取付金具ごと外れてしまう等といった問題が生じる。
【０００５】
そこで、本発明は、上記問題を解決すべくなされたものであって、重量の軽量化を図ることができる上、ベース板の取付強度の低下を招くことのない電気機器収納用箱体を提供しようとするものである。
【課題を解決するための手段】
【０００６】
上記目的を達成するために、本発明のうち請求項１に記載の発明は、各種電気機器を搭載するためのベース板を背板の前方に取付可能としてなる電気機器収納用箱体であって、前記背板の外周部に、折り曲げ加工により補強を施した補強部を設けるととともに、該補強部を前記ベース板が取り付けられるベース板取付部としたことを特徴とする。
請求項２に記載の発明は、請求項１に記載の発明において、電気機器収納用箱体を構成する天板及び底板を、Ｌ字状の補強部材を介して背板のベース板取付部に固着したことを特徴とする。
請求項３に記載の発明は、請求項２に記載の発明において、背板の左右両側部に、前方へ突出し上下に開口を有する中空状のベース板取付部を設けるとともに、該ベース板取付の内側縁に、折り曲げ加工により後方へ段差を設けられた段部を形成し、ベース板を、前記段部の前面に当接させた状態で、前記左右両側のベース板取付部間に嵌め込むようにしてセット可能とする一方、補強部材は、その一端を前記開口へ差し込んだ状態にて前記ベース板取付部に固着されるとともに、前記補強部材に、前記セット状態にある前記ベース板の上縁又は下縁を支持する支持部を設けたことを特徴とする。
【発明の効果】
【０００７】
本発明によれば、背板の外周部に、折り曲げ加工により補強を施した補強部を設けるととともに、該補強部をベース板が取り付けられるベース板取付部としている。したがって、ベース板の取付強度を低下させることなく、背板の厚みを従来よりも薄く形成することが可能であり、背板、ひいては電気機器収納用箱体の軽量化を図ることができる上、背板にかかる負荷により背板に変形が生じる等といった問題が起こらない。
また、請求項２に記載の発明によれば、背板と天板及び底板とを、Ｌ字状の補強部材を介して背板のベース板取付部に固着するようにしているため、背板や天板、底板の厚みを厚くすることなく、電気機器収納用箱体全体の強度を向上させることができるとともに、電気機器収納用箱体の更なる軽量化を図ることができる。
さらに、請求項３に記載の発明によれば、背板の左右両側部に、前方へ突出し上下に開口を有する中空状のベース板取付部を設けるとともに、該ベース板取付の内側縁に、折り曲げ加工により後方へ段差を設けられた段部を形成し、ベース板を、段部の前面に当接させた状態で、左右両側のベース板取付部間に嵌め込むようにしてセット可能としている。したがって、ベース板の左右方向での位置決めを容易に行うことができるし、同時にセット後のベース板の左右方向へのがたつきも防止することができる。また、補強部材に、セット状態にあるベース板の上縁又は下縁を支持する支持部を設けている。したがって、ベース板の上下方向での位置決めを容易に行うことができるし、同時にセット後のベース板の上下方向へのがたつきも防止することができる。つまり、電気機器収納用箱体を、強度の向上を目的とした補強部や補強部材により、ベース板のセット及びがたつき防止をも図ることができる合理的な構成とすることができる。加えて、請求項３に記載の発明によれば、補強部材を、その一端を開口へ差し込んだ状態にてベース板取付部に固着しており、補強部材を補強部に連結するような構造としているため、電気機器収納用箱体の強度の一層の向上を図ることができる。
【発明を実施するための最良の形態】
【０００８】
以下、本発明の一実施形態となる電気機器収納用箱体について、図面をもとに説明する。
【０００９】
図１は、ベース板４を取り付けた状態にある電気機器収納用箱体１を示した斜視説明図である。また、図２は、電気機器収納用箱体１の本体２の分解状態を示した斜視説明図であり、図３は、本体２からベース板４を取り外した状態を示した説明図である。
電気機器収納用箱体１は、天板５、底板６、及び背板３からなる本体２に、図示しない一対の側板及び前扉を着脱自在に備えてなるものであって、背板３には、取付具７、７・・により、電気機器を搭載するためのベース板４を取付可能となっている。
【００１０】
ここで、本体２の構成要素について説明する。
本体２は、上述の如く、天板５、底板６、及び背板３を一体的に連結したものであって、比較的厚みの薄い板状部材である背板３の左右両側縁には、前方へ折り曲げた後に、さらに左右外側へと折り曲げてフランジ１１を形成するとした折り曲げ加工が施されている。また、背板３の左右両側部には、後述の如くしてベース板４が取り付けられる取付板（第一補強部材）８、８が設置されている。該取付板８は、背板３本体に当接する接地面１５と、ベース板４がセットされる取付面１６と、背板３のフランジ１１に当接する支持面１７とを折り曲げによって階段状（支持面１７が最上段となる）に備えてなるものであって、接地面１５を背板３本体の前面に当接させ、且つ、支持面１７の後面をフランジ１１の前面に当接させた状態で背板３本体に溶接されている。したがって、背板３の左右両側部には、前面が左右外方へいくにしたがって段階的に前方へとせり出すような階段状に成形され、上面及び下面にそれぞれ開口１２を有する中空状のベース板４取付部（補強部）が形成されることになる。一方、背板３の中央部は、背板３の左右両側部よりも後方へ凹んだ凹部となっており、該凹部の左右方向幅は、ベース板４の左右方向幅と略同一となっている。尚、取付面１６の上部及び下部には、後述する連結部材９を固着するためのボルト（図示せず）を挿通可能な小孔２３、２３・・が穿設されている。また、取付面１６と支持面１７との段差は、ベース板４の厚みと略同じとなっている。さらに、支持面１７の上部及び下部で、取付面１６寄り位置には、取付具７を差し込み設置するための差込孔１３、１３が穿設されている。
【００１１】
また、上述の如き、背板３と天板５及び底板６とは、第二補強部材としての連結部材９、９・・を介して連結されている。各連結部材９は、水平方向に延設された水平部２１と、該水平部２１に対して直角方向へ延設された垂直部２２とを一体的に備えてなるＬ字状部材であって、基部（水平部２１と垂直部２２との連結部）を中心とした対称形状（すなわち、水平部２１と垂直部２２とを同一形状）に成形されている。水平部２１及び垂直部２２は、上記ベース板４取付部の開口１２の左右幅と略同様の左右幅に形成されており、開口１２から垂直部２２をベース板４取付部内へ差し込み可能となっている。また、水平部２１及び垂直部２２には、背板３や天板５、底板６へ固定するための固定ボルトを挿通可能な小孔２３、２３・・が穿設されている。さらに、連結部材９の左右両側には折り曲げ加工が施されており、上述の如く垂直部２２をベース板４取付部内へ差し込んだ際、折り曲げ部が背板３本体の前面に接触した状態で垂直部２２の前面が取付面１６の後面に当接する一方、垂直部２２の後面と背板３本体前面との間に隙間が形成されるようにしている。加えて、各連結部材９の基部には、後述の如くしてベース板４が背板３に取り付けられた際に、ベース板４の上縁又は下縁を支持するための支持段部２４が突設されている。
【００１２】
次に、本体２の組み立てについて説明する。
まず、背板３の左右両側に形成されたベース板４取付部の各開口１２へ連結部材９の垂直部２２を差し込んで、ボルトを取付面１６及び垂直部２２の小孔２３に挿通させ、垂直部２２の後面と背板３本体前面との間に形成された隙間から工具を差し込んで締め付ける等して、背板３に連結部材９、９・・を固定する。その後、各連結部材９の水平部２１に、ボルトを用いて天板５又は底板６を固定して、本体２は組み立てられる。
【００１３】
以上のようにして組み立てられた本体２に対し、ベース板４は、その左右両側縁をベース板４取付部の取付面１６、１６に当接させた状態で、支持面１７、１７間に嵌め込むように（すなわち、背板３の凹部内へ嵌め込むように）セットされる。この時、取付面１６の小孔２３、２３・・から突出するボルトがベース板４の後面と干渉するため、ベース板４の後面の適宜位置には、ボルトの干渉を避けるためのざぐりが設けられている。尚、該セット状態において、ベース板４の上縁及び下縁は、連結部材９、９・・の支持段部２４、２４・・に支持された状態となっている。また、上記セット状態において、ベース板４の前面は、支持面１７の前面と面一になっている。
【００１４】
また、上記セット状態にあるベース板４は、以下に記載するような取付具７、７・・により、凹部内からの前方への移動が抑制されて、背板３へ取り付けられることになる。
取付具７は、差込孔１３へ差し込み可能であるとともに差し込み状態（ベース板４取付部内）にて回転させることにより抜け止め機能を発揮する抜け止め部（図示しない）を後面に備えたものである。そして、該抜け止め部を差込孔１３へ差し込んだ状態で回転させ、一部をベース板４の前方に位置させることにより、ベース板４の凹部内からの前方への移動を抑制することができる。
【００１５】
上述したような構成を有する電気機器収納用箱体１によれば、背板３の左右両側に折り曲げを有する階段状のベース板４取付部を設け、該ベース板４取付部にベース板４を取付可能としている。つまり、背板３に、折り曲げにより補強を施した補強部を設け、該補強部をベース板４取付部としているため、ベース板４の取付強度を低下させることなく、背板３として従来よりも厚みの薄い板状部材を用いることができる。したがって、背板３、ひいては電気機器収納用箱体１の軽量化を図ることができる上、背板３にかかる負荷により背板３に変形が生じる等といった問題が起こらない。
【００１６】
また、階段状の取付板８を溶接によって背板３本体に取り付けることにより、補強部となるベース板４取付部を設けているため、背板３の両側側縁の折り曲げのみによってベース板４取付部を形成するものと比較して、容易にベース板４取付部を設けることができ、背板３の製造コストを低く抑えることができる。
【００１７】
さらに、背板３と天板５及び底板６とを、一体的なＬ字状部材で、折り曲げ加工によって補強された連結部材９、９・・を介して連結するようにしているため、各部材４、５、６の厚みを厚くすることなく、電気機器収納用箱体１全体の強度を向上させることができ、また電気機器収納用箱体１の更なる軽量化を図ることができる。
【００１８】
さらにまた、ベース板４を、背板３に設けられた凹部内に嵌め込むようにして取付可能としているため、ベース板４の左右方向での位置決めを容易に行うことができるし、同時にセット後のベース板４の左右方向へのがたつきも防止することができる。またさらに、各連結部材９に、セット状態にあるベース板４の上縁及び下縁を支持する支持段部２４を設けているため、ベース板４の上下方向での位置決めを容易に行うことができるし、同時にセット後のベース板４の上下方向へのがたつきも防止することができる。このように、電気機器収納用箱体１は、強度の向上を目的とした補強部や補強部材により、ベース板４のセット及びがたつき防止をも図ることができる合理的な構成となっている。
【００１９】
また、連結部材９を、基部を中心とした対称形状に成形しているため、水平部２１と垂直部２２とを使い分けたりする必要がなく、本体２の組立作業の容易化を図ることができる。
加えて、連結部材９をベース板４取付部に固定する構造、すなわち補強部材を補強部に連結するような構造としているため、本体２の強度の一層の向上を図ることができる。
【００２０】
なお、本発明の電気機器収納用箱体に係る構成は、上記実施形態の態様に何ら限定されるものではなく、背板、第一補強部材、第二補強部材、及びベース板の取付構造等に係る構成を、本発明の趣旨を逸脱しない範囲で、必要に応じて適宜変更することができる。
【００２１】
たとえば、上記実施形態では、背板の左右両側部に、上部から下部に亘る一連の補強部を設ける構成としているが、背板の左右両側部の上部と下部とで別個に補強部を設ける、すなわちベース板を取り付けるための取付具の設置位置周辺ごとに独立した補強部を設けるような構成としてもよい。
また、背板に補強部を設けるにあたって、上記実施形態に記載したように、第一補強部材を用いて補強部を設ける構成に限定されることはなく、背板に折り曲げ加工を施すことによってのみ補強部を設けるようにすることも可能である。
【００２２】
さらに、背板の左右両側部だけでなく上部及び下部に同様の補強部を設け、ベース板を背板に取り付けた際の安定性の一層の向上を図るようにしても何ら問題はないし、その場合、上下に設けられた補強部に直接天板及び底板を取り付けるようにしても、本体の強度向上といった効果を実現することができる。
加えて、上記実施形態では、補強部の取付面に、補強部材を固定するための小孔を設ける構成としているが、補強部に設ける段部を一段増やすことにより、ベース板のセット時にベース板が当接する取付面と、補強部材を固定するための小孔を備えた固定面とを別個に設けるように構成してもよい。該構成を採用することにより、ボルト等のベース板への干渉を防止することができ、ベース板にざぐりといった加工を施す必要がなくなり、構成の一層の簡素化、ベース板の製造の容易化といった効果を奏することができる。
【図面の簡単な説明】
【００２３】
【図１】ベース板を取り付けた状態にある電気機器収納用箱体を示した斜視説明図である。
【図２】電気機器収納用箱体の本体の分解状態を示した斜視説明図である。
【図３】本体からベース板を取り外した状態を示した説明図である。
【図４】従来より周知の電気機器収納用箱体を示した説明図である。
【符号の説明】
【００２４】
１・・電気機器収納用箱体、２・・本体、３・・背板、４・・ベース板、５・・天板、６・・底板、７・・取付具、８・・取付板、９・・連結部材、１１・・フランジ、１２・・開口、１３・・差込孔、１５・・接地面、１６・・取付面、１７・・支持面、２１・・水平部、２２・・垂直部、２３・・小孔、２４・・支持段部。
【図１】
2008011686.tif 000003
【図２】
2008011686.tif 000004
【図３】
2008011686.tif 000005
【図４】
2008011686.tif 000006